(57)【要約】【課題】翻訳作業から印刷等の出力処理作業までをシステム化して、一括処理できる自動翻訳装置及び翻訳方法を提供する【解決手段】データを他言語に翻訳する翻訳手段２０１と、該翻訳手段によって翻訳されたデータを出力する出力手段１０３と、ユニフィケーションモードが設定されたか否かを判断するモード判断手段とを備えている。ユニフィケーションモードが設定されたと判断された場合には、前記翻訳手段に、複数の言語が混在するデータを少なくとも一つの言語に統一して翻訳させるとともに、前記出力手段に、前記翻訳後の言語でデータを出力させる。【選択図】図４
2008021323.tif 000002
【特許請求の範囲】
【請求項１】
データを他言語に翻訳する翻訳手段と、
該翻訳手段によって翻訳されたデータを出力する出力手段と、
ユニフィケーションモードが設定されたか否かを判断するモード判断手段と、
該モード判断手段により前記ユニフィケーションモードが設定されたと判断された場合には、前記翻訳手段に、複数の言語が混在するデータを少なくとも一つの言語に統一して翻訳させるとともに、前記出力手段に、前記翻訳後の言語でデータを出力させる制御手段と、
を備えている自動翻訳装置。
【請求項２】
ユニフィケーションモードを使用者に設定させる画面を表示する表示手段を備えている請求項１に記載の自動翻訳装置。
【請求項３】
前記出力手段は、各言語のグループを単位として、翻訳されたデータを記録材に印字しソートトレーに排出する請求項１または２に記載の自動翻訳装置。
【請求項４】
前記出力手段は、翻訳されたデータを外部装置に出力する請求項１〜３のいずれかに記載の自動翻訳装置。
【請求項５】
入力データを他言語に翻訳するための言語の選択を受け付けるステップと、
ユニフィケーションモードが設定されたか否かを判断するステップと、
前記言語が選択され、前記ユニフィケーションモードが設定されたと判断された場合、複数の言語が混在する入力データを少なくとも一つの言語に統一して翻訳するステップと、
前記翻訳後の言語でデータを出力するステップと、
を有する自動翻訳方法。
【請求項６】
各言語のグループを単位として、翻訳されたデータを記録材に印字しソートトレーに排出するステップを有する請求項５に記載の自動翻訳方法。
【請求項７】
前記翻訳後の言語でデータを出力するステップは、当該データを外部装置に出力するものである請求項５または６に記載の自動翻訳方法。
【発明の詳細な説明】
【技術分野】
【０００１】
この発明は、自動翻訳装置及び自動翻訳方法に関する。
【背景技術】
【０００２】
従来、この種の装置として、特許文献１に記載されているように、画像データより文字列を抽出し、文字列からテキストデータに変換し、さらに他国言語のテキストデータに変換する装置や、あるいは特許文献２に開示されているように、入力手段によって入力した翻訳前の言語（以下、単に翻訳前言語ということもある）を他国言語に翻訳するとともに、翻訳前言語と翻訳後の言語（以下、単に翻訳後言語ということもある）をレイアウト情報に応じて両面印刷可能とした装置が知られている。
【０００３】
ところで、昨今、インターネットの急速な普及やビジネス環境の国際的な拡大などに伴って、単一言語から複数の他国言語に同時翻訳できることに加えて、翻訳後言語を所望形態に分類して出力できるように、これら翻訳、出力作業をシステムとして一括処理可能な装置の実現が要望されている。
【特許文献１】特開平１０ー１５４１４５号公報
【特許文献１】特開平８ー１２７１５２号公報
【発明の開示】
【発明が解決しようとする課題】
【０００４】
しかし、上記従来の前者の装置では、翻訳後言語を出力するまでの工程をシステム化することについての配慮がなされておらず、また、上記従来の後者の装置では、単一言語を複数の他国言語に翻訳することについての記載はなく、いずれも上記要望に即応できるものではない。したがって、複数言語処理を必要とする会議等においては、多国語資料の作成等に長時間が費やされていた。
【０００５】
この発明は、上記事情に鑑みてなされたもので、翻訳作業から印刷等の出力処理作業までをシステム化して、一括処理できる自動翻訳装置及び翻訳方法を提供することを課題とする。
【課題を解決するための手段】
【０００６】
上記課題は以下の手段によって解決される。
【０００７】
（１）データを他言語に翻訳する翻訳手段と、該翻訳手段によって翻訳されたデータを出力する出力手段と、ユニフィケーションモードが設定されたか否かを判断するモード判断手段と、該モード判断手段により前記ユニフィケーションモードが設定されたと判断された場合には、前記翻訳手段に、複数の言語が混在するデータを少なくとも一つの言語に統一して翻訳させるとともに、前記出力手段に、前記翻訳後の言語でデータを出力させる制御手段と、を備えている自動翻訳装置。
【０００８】
この翻訳装置によれば、ユニフィケーションモードを設定すると、複数の言語が混在するデータが、少なくとも１つの言語に統一して翻訳され、その言語で出力される。このため、ユニフィケーションモードを設定するだけで、複数の言語が混在するデータを少なくとも１つの他言語に翻訳する作業から印刷等の出力を行うまでの作業が、システムとして一括処理されることになる。
【０００９】
なお、上記において、「出力手段」には、用紙等の記録材に印刷ないし印字する手段のほか、電子データとして出力する手段も含まれる。
【００１０】
（２）ユニフィケーションモードを使用者に設定させる画面を表示する表示手段を備えている前項１に記載の自動翻訳装置。
【００１１】
（３）前記出力手段は、各言語のグループを単位として、翻訳されたデータを記録材に印字しソートトレーに排出する前項１または２に記載の自動翻訳装置。
【００１２】
（４）前記出力手段は、翻訳されたデータを外部装置に出力する前項１〜３のいずれかに記載の自動翻訳装置。
【００１３】
（５）入力データを他言語に翻訳するための言語の選択を受け付けるステップと、ユニフィケーションモードが設定されたか否かを判断するステップと、前記言語が選択され、前記ユニフィケーションモードが設定されたと判断された場合、複数の言語が混在する入力データを少なくとも一つの言語に統一して翻訳するステップと、前記翻訳後の言語でデータを出力するステップと、を有する自動翻訳方法。
【００１４】
（６）各言語のグループを単位として、翻訳されたデータを記録材に印字しソートトレーに排出するステップを有する前項５に記載の自動翻訳方法。
【００１５】
（７）前記翻訳後の言語でデータを出力するステップは、当該データを外部装置に出力するものである前項５または６に記載の自動翻訳方法。
【発明の効果】
【００１６】
この発明によれば、ユニフィケーションモードを設定することで、複数の言語が混在するデータを少なくとも１つの他言語に翻訳する作業から印刷等の出力に至るまでの作業を一括処理できる。
【発明を実施するための最良の形態】
【００１７】
以下、この発明の一実施形態を図面に基づいて説明する。
【００１８】
図１は、この発明の一実施形態に係る自動翻訳装置の概要を示すブロック図である。
【００１９】
自動翻訳装置１は、入力部１０１、処理部１０２、出力部１０３および操作表示部１０４を備えている。
【００２０】
入力部１０１は、入力データを入力するものであり、例えば原稿上の翻訳前言語を処理部１０２に取り込むための読み取り装置や、入力データを電子データとして処理部１０２に送るための外部コンピュータ等からなる。また、操作表示部１０４は、使用者が翻訳後言語を選択・設定するための設定手段ならびに翻訳モード（ノーマルモード、グループモード、ソートモード、ユニフィケーションモード）の選択・設定手段も兼ねている。
【００２１】
処理部１０２は、入力された翻訳前言語を選択された翻訳後言語に翻訳する翻訳部２０１の他に、翻訳モード情報に従って前記翻訳部２０１や出力部１０３を制御する制御部２０２、および翻訳情報を一時的に記憶するメモリ部２０３などを有している。
【００２２】
出力部１０３は、処理部１０２の処理内容に応じて、翻訳後言語によるデータを電子データとして出力し、あるいは用紙への印刷（印字）物として出力する。
【００２３】
図２は、自動翻訳装置１におけるグループモード時の概念図である。
【００２４】
入力部１０１により、単一の翻訳前言語Ａによる例えば第１〜３頁のデータが入力されると、処理部１０２は、操作表示部１０４からの翻訳後言語設定情報とグループモード設定の指示に従って翻訳処理するとともに、たとえば翻訳後言語Ａによるグループ１、翻訳後言語Ｂによるグループ２、翻訳後言語Ｃによるグループ３・・・の複数の言語グループに振り分け、出力部１０３を介して電子情報ないしは印刷物として出力させる。これにより、翻訳後言語ごとにグルーピングされた出力を得ることできる。
【００２５】
図３は、自動翻訳装置１におけるソートモード時の概念図である。
【００２６】
入力部１０１により、単一の翻訳前言語Ａによる第１頁のデータが入力されると、処理部１０２は、操作表示部１０４からの翻訳後言語設定情報とソートモード設定に従って翻訳処理するとともに、翻訳後言語Ａ〜Ｃを１つずつ含んだ異なる言語どうしの集まりを１つのグループとし、これを出力部１０３を介して電子情報ないしは印刷物として１部ないし複数部出力させる。これにより、ソーティングされた翻訳後言語を得ることできる。
【００２７】
図４は、自動翻訳装置１におけるユニフィケーションモード時の基本動作概念図である。
【００２８】
第１頁が翻訳前言語Ａ、第２頁が翻訳前言語Ｂ、第３頁が翻訳前言語Ｃという異なる言語が混在したデータが入力部１０１により入力されると、処理部１０２は、操作表示部１０４からの翻訳後言語設定情報とユニフィケーションモード設定に従って、単一の言語Ａに統一して翻訳処理するとともに、出力部１０３を介して前記言語Ａにて電子情報ないしは印刷物として出力させる。これにより、ユニフィケーションされた翻訳後言語を得ることできる。
【００２９】
図５は、自動翻訳装置１におけるユニフィケーションモード時の応用動作概念図である。
【００３０】
第１頁が翻訳前言語Ａ、第２頁が翻訳前言語Ｂ、第３頁が翻訳前言語Ｃという異なる言語が混在したデータが入力部１０１により入力されると、処理部１０２は、操作表示部１０４からの翻訳後言語設定情報とユニフィケーションモード設定に従って、言語Ａ〜Ｃにそれぞれ統一して翻訳処理するとともに、出力部１０３を介して前記の各言語Ａ〜Ｃごとに電子情報ないしは印刷物として出力させる。これにより、ユニフィケーションされた翻訳後言語を得ることできる。
【００３１】
なお、各モードにおいて、処理部１０２は、翻訳前言語と翻訳後言語が同一である場合には、翻訳処理を行わない。
【００３２】
つぎに、上記構成の自動翻訳装置１が適用されたデジタル複写機の画像形成システムについて、図６〜図８に従って説明する。
【００３３】
図６は、原稿送り装置１１と、ステープルソータ２１と、ステープルソータ２１に接続されたデジタル複写機１０とを備えた画像形成システムを示す概略正面図である。
【００３４】
デジタル複写機１０では、画像の形成に際して、操作パネル１５（図９）を介してユーザーの操作による情報が入力される。その入力情報に応じて、デジタル複写機１０の上部に設置される循環式の自動原稿送り装置１１は、所定の原稿給紙トレイ上に積載された一群の原稿群から原稿を１枚ずつプラテンガラス上に送り出す。プラテンガラス上で原稿に対する露光処理が行われると、自動原稿送り装置１１は、プラテンガラス上から原稿を順次、原稿排紙トレイに排出していく。
【００３５】
デジタル複写機１０は、電子写真方法によって露光処理により読み取られた原稿画像から用紙上にその画像を形成する。画像が形成された用紙は、ステープルソータ２１に搬送され、後述するステープルソータ２１のノンソートトレイ２２もしくはビンアセンブリ２３の排出ビン上に排出される。
【００３６】
図７は、デジタル複写機１０を示す概略断面図である。
【００３７】
デジタル複写機１０は、大きくは、装置本体１０Ａ上に搭載されて、原稿を搬送し、必要に応じて原稿の表裏を反転させる自動原稿搬送装置１１と、原稿の文字等を読み取って入力データを生成する読み取り装置ＩＲと、読み取り装置ＩＲで得られた入力データを一時記憶するメモリユニット部３０と、メモリユニット部３０に格納された入力データに基づいて用紙に印字を行うプリンタ装置ＰＲＴと、各種の入力を操作するための操作パネル１５と、外部との間でデータの授受を行うための外部入出力制御部２５とから構成されている。
【００３８】
自動原稿搬送装置１１では、原稿給紙トレイ１２上にセットされた原稿は、プリントが指示されると、最下層の原稿から自動的にプラテンガラス１３上の読み取り位置にセットされ、読み取り装置ＩＲでの読み取りが完了すると、排紙トレイ１４上に排紙される。
【００３９】
読み取り装置ＩＲは、走査系３１と画像信号処理部３２とからなる。走査系３１では、まず、読み取り位置にセットされた原稿の文字などがその下方を移動するスキャナ３３に取り付けられた露光ランプ３４により露光される。原稿からの反射光は、反射ミラー３５ａ、３６ｂ、３６ｃおよび集光レンズ３７を通り、ＣＣＤアレイ等を用いた光電変換素子３８，３９で受光される。ついで、これらの走査系３１で得られた信号は、画像信号処理部３２に送られる。
【００４０】
画像信号処理部３２では、入力された信号に対して二値化処理、画像補正、変倍、画像編集などの画像処理が行われる。そして、画像処理が行われた画像データは、メモリユニット部３０に格納され、文字認識処理により、文字列変換などを行って翻訳を行う。
【００４１】
プリンタ装置ＰＲＴは、印字処理部４０、光学系６０、作像系７０、用紙搬送系８０からなる。印字処理部４０は、メモリユニット部３０からの読み取りデータに基づいて光学系６０を駆動する。光学系６０では、印字処理部４０によって制御される信号に基づいて半導体レーザー６１，６２がそれぞれレーザービームを発射する。これらは、ダイクロイックミラー６３で合成され、モータ６４で回転駆動されるポリゴンミラー６５によって反射され、主レンズ６６を通して作像系７０の感光体７１に向けて照射される。
【００４２】
作像系７０では、まず、感光体７１が帯電チャージャ７２によって帯電された後、光学系６０からのレーザービームが照射される。これにより、感光体７１上には、静電潜像が形成される。続いて、現像器７３により、静電潜像上にトナーが載せられる。感光体７１上のトナー像は、用紙搬送系８０の給紙カセット８０ａ、８０ｂから給紙された複写用紙に転写される。その後、用紙は、用紙搬送ベルト８１により定着器８２に搬送され、ここで熱と圧力により、トナーが用紙に定着された後、デジタル複写機１０に接続されたステープルソータ２１の受け入れローラ９０（図８）に向けて排出される。
【００４３】
つぎに、ステープルソータ２１は、デジタル複写機１０からの用紙を受け入れローラ９０によって受け入れ、垂直搬送路９３によって、用紙搬送ゲート９１まで搬送する。
【００４４】
用紙搬送ゲート９１は、モータ９４により上下方向へ移動可能に構成されている。用紙は、ゲートの垂直方向の所定位置にまで移動して排出ビン９２ａ〜９２ｄへ排出される。
【００４５】
図９は、上記デジタル複写機１０における操作パネル１５を示す平面図である。
【００４６】
図９において、前記操作パネル１５の中央部位には、各種モードやメッセージなどを表示するＬＣＤ表示部１５１が装備されている。その表示部１５１の右側には、コピー枚数などを設定するためのテンキー１５２、読み込みおよびプリント動作開始用のスタートキー１５３、各種の初期化を行うためのクリアキー１５４、読み込みおよびプリント動作停止用のストップキー１５５、割り込みモードにセットするための割り込みキー１５６、全てのモードを初期化するパネルリセットキー１５７、暗唱番号入力画面などを選択するためのＩＤコードキー１５８、さらには低消費電力モード切り替え用のプレヒートキー１５９などが設けられている。
【００４７】
また、ＬＣＤ表示部１５１の左側には、プログラム登録などの各モードに入る画面に遷移するためのユーティリティキー１６０、コピーモードを読み出すためのプログラム読み出しキー１６１、各モードを一覧表示するための設定確認キー１６２、原稿混載などの各モードの設定画面に遷移するための原稿混載／その他キー１６３、ジョブ状態の確認用のジョブ確認キー１６４、オンラインとオフラインの切り替え用のオンラインキー１６５、さらにはデータが転送可能か否かを示すＲｅａｄｙ表示ランプ１６６、オンライン中に点灯するオンライン表示ランプ１６７などが設けられている。
【００４８】
前記操作パネル１５におけるＬＣＤ表示部１５１の画面の基本構成を図１０に示す。
【００４９】
図１０において、この基本画面Ｄ１は、エリアＡ１〜Ａ４からなる。エリアＡ１は、設定機能の分類などを選択する部位であり、エリアＡ２は、設定時の指示、警告などのメッセージを表示する部位である。エリアＡ３は、各種設定、表示を行う部位であり、エリアＡ４は、マルチジョブ時に裏で動作しているジョブの状態などを表示する部位である。
【００５０】
図１１は、ＬＣＤ表示部１５１における応用画面Ｄ２の構成を示す。
【００５１】
この応用画面Ｄ２におけるエリアＡ３には、表紙キーＫ１、翻訳キーＫ２、ＯＨＰ合紙キーＫ３、綴じ代作成キーＫ４、イレースキーＫ５、イメージリピートキーＫ６、文字印字キーＫ７、フォーマット印字キーＫ８などがアイコンと共に表示される。
【００５２】
応用画面Ｄ２において、翻訳キーＫ２を指示すると、図１２に示す翻訳モード基本画面Ｄ３に遷移する。この翻訳モード基本画面Ｄ３には、翻訳モード選択キー、つまりノーマルモードキーＮＭ、グループモードキーＧＭ、ソートモードキーＳＭ、ユニフィケーションモードキーＵＭが表示される他、翻訳元となる原稿の言語の選択キーＫＩ、翻訳後言語であるコピー言語の選択キーＫＯがそれぞれ複数個、表示される。
【００５３】
図１３は、図１２の翻訳モード基本画面Ｄ３において、ノーマルモードキーＮＭを選択操作した際の表示状態を示す。
【００５４】
この画面において、原稿言語を選択し（図１３では、日本語）、翻訳語言語であるコピーの言語を選択する（図１３では、英語とフランス語）とともに、コピー部数を設定する（図１３では、英語２部、フランス語１部）。その後、操作パネル１５において、スタートキー１５３を操作すれば、翻訳された言語によるデータが出力される。ここでは、日本語が翻訳され、英語２部、フランス語１部が用紙にコピーされて出力される。
【００５５】
図１４は、図１２の翻訳モード基本画面Ｄ３において、グループモードキーＧＭを選択操作した際の表示状態を示す。
【００５６】
この画面において、原稿言語を選択し（図１４では日本語）、翻訳後言語であるコピーの言語を選択する（図１４では、英語、フランス語）とともに、コピー部数を設定する（図１４では３部）。その後、操作パネル１５において、スタートキー１５３を操作すれば、翻訳された言語のコピーが出力される。ここでは、日本語原稿が翻訳され、英語のコピー３部を１グループとしフランス語のコピー３部を１グループとして出力される。日本語原稿が複数枚ある場合には、それらの複数枚を英語でコピーしたものを１グループとしてこれが３部と、それらの複数枚をフランス語でコピーしたものを１グループとしてこれが３部それぞれ出力される。
【００５７】
図１５は、図１２の翻訳モード基本画面Ｄ３において、ソートモードキーＳＭを選択操作した際の表示状態を示す。
【００５８】
この画面において、原稿言語を選択し（図１５では、日本語）、翻訳後言語であるコピーの言語を選択する（図１５では、英語、ドイツ語、フランス語）とともに、コピー部数を設定する（図１５では３部）。その後、操作パネル１５においてスタートキー１５３を操作すれば、翻訳された言語のコピーが出力される。ここでは、日本語原稿が翻訳され、英語とドイツ語、フランス語が用紙にコピーされ、各言語を１部ずつ含む３つの言語が一つの集まりとなったものを１グループとして、これが合計３部出力される。
【００５９】
図１６は、図１２の翻訳モード基本画面Ｄ３において、ユニフィケーションモードキーＵＭを選択操作した際の表示状態を示す。
【００６０】
この画面において、原稿言語を選択し（図１６では、英語、ドイツ語、フランス語）、翻訳後言語であるコピーの言語を選択する（図１６では、日本語）とともに、コピー部数を設定する（図１６では１部）。その後、操作パネル１５において、スタートキー１５３を操作すれば、翻訳された言語が用紙にコピーされて出力される。ここでは、英語、ドイツ語、フランス語で構成される原稿が日本語に統一して翻訳され、用紙に１部コピーされて出力される。なお、翻訳後言語が複数設定された場合には、同一の言語を１グループとしてそれぞれ出力される。
【００６１】
つぎに、図６〜図８に示したデジタル複写機の全体動作を図１７に示すフローチャートを参照して説明する。なお、以下の説明ならびに図面では、ステップをＳと略記する。
【００６２】
Ｓ１０００で、まず、翻訳モード処理が行われる。この処理は使用者による翻訳モード等の入力処理であり、詳細は後述する。次いで、Ｓ１００１で、翻訳モードであるか否かを判断する。翻訳モードであると（Ｓ１００１にてＹＥＳ）、Ｓ１００２で、前記読み取り装置ＩＲにより画像を読み込むとともに、文字認識、翻訳処理を行う。この処理についても後述する。翻訳モードでなければ（Ｓ１００１にてＮＯ）、Ｓ１００３で、前記読み取り装置ＩＲにより通常の画像読み込みを行う。
【００６３】
この後、Ｓ１００４では、翻訳データをメモリ部２０３に格納し、Ｓ１００５では、翻訳後言語によるコピー及び排出処理を行う。このコピー及び排出処理についても後述する。
【００６４】
つぎに、上記Ｓ１０００の翻訳モード処理についてのサブルーチンを、図１８に示すフローチャートを参照して説明する。
【００６５】
Ｓ２０００で、操作パネル１５において使用者が翻訳モードを設定する。その後、Ｓ２００１で、設定された翻訳モードを判断する。翻訳モードがノーマルモードである場合には（Ｓ２００２）、Ｓ２００３で、原稿言語を翻訳前言語として入力し、Ｓ２００４では、翻訳後言語であるコピー言語を入力し、Ｓ２００５でコピー部数を入力する。ついで、Ｓ２００６で、ノーマルモードのパラメータを設定してリターンする。
【００６６】
翻訳モードがグループモードである場合には（Ｓ２００７）、Ｓ２００８で原稿言語を入力し、Ｓ２００９で翻訳後言語であるコピー言語を入力し、Ｓ２０１０でグループモードのパラメータを設定してリターンする。
【００６７】
翻訳モードがソートモードである場合には（Ｓ２０１１）、Ｓ２０１２で原稿言語を入力し、Ｓ２０１３で翻訳後言語であるコピー言語を入力し、Ｓ２０１４でソートモードのパラメータを設定してリターンする。
【００６８】
翻訳モードがユニフィケーションモードである場合には（Ｓ２０１５）、Ｓ２０１６で原稿言語を入力し、Ｓ２０１７で翻訳後言語であるコピー言語を入力し、Ｓ２０１８でユニフィケーションモードのパラメータを設定してリターンする。
【００６９】
つぎに、図１７のＳ１００２に示した翻訳処理についてのサブルーチンを、図１９に示すフローチャートを参照して説明する。
【００７０】
Ｓ３０００では、前記読み取り装置ＩＲにより原稿を読み込むとともに、文字列を抽出した後、Ｓ３００１で、設定された翻訳モードの種別を判断する。
【００７１】
翻訳モードがノーマルモードであると（Ｓ３００２）、Ｓ３００３で原稿言語と文字列とを比較したのち、Ｓ３００４で原稿言語の翻訳コピー言語への翻訳を行い、リターンする。
【００７２】
グループモードであると（Ｓ３００５）、Ｓ３００６で原稿言語と文字列とを比較し、Ｓ３００７で原稿言語を複数の翻訳コピー言語へ翻訳したのち、Ｓ３００８で、同一の翻訳後言語を１グループに設定したのちリターンする。
【００７３】
ソートモードであると（Ｓ３００９）、Ｓ３０１０では、原稿言語と文字列とを比較し、Ｓ３０１１で原稿言語を複数の翻訳コピー言語へ翻訳したのち、Ｓ３０１２で、翻訳後言語の各言語が含まれる集まりを１グループに設定したのちリターンする。
【００７４】
ユニフィケーションモードであると（Ｓ３０１３）、Ｓ３０１４では、複数の原稿言語と文字列とを比較し、Ｓ３０１５で原稿言語の翻訳コピー言語への翻訳を行い、Ｓ３０１６では、同一の翻訳後言語を１ジョブに設定したのちリターンする。
【００７５】
つぎに、図１７のＳ１００５に示すコピー・排出処理についてのサブルーチンを、図２０に示すフローチャートを参照して説明する。
【００７６】
まずＳ４０００で、メモリ部２０３のデータを読み出しながら印字処理を行った後、Ｓ４００１で排出モード（翻訳モード）の種類を判断する。
【００７７】
ノーマルモードであると（Ｓ４００２）、Ｓ４００３でコピー用紙を同一トレイに排出したのちリターンする。従って、指定した翻訳語言語によるコピーが各言語についての設定部数だけ同一トレーに排出される。
【００７８】
グループモードであると（Ｓ４００４）、Ｓ４００５で１グループを単位として、ソートトレイに排出したのちリターンする。従って、同一の翻訳後言語を１グループとして、各言語ごとにソートトレーに排出される。
【００７９】
ソートモードであると（Ｓ４００６）、Ｓ４００７で１グループを単位として、ソートトレイに排出したのちリターンする。従って、翻訳後言語の各言語が含まれる集まりごとに、各ソートトレーに排出される。
【００８０】
ユニフィケーションモードであると（Ｓ４００８）、Ｓ４００９で１ジョブを１単位としてトレイに排出したのちリターンする。従って、１つの翻訳後言語によるコピーがトレーに排出される。この場合、翻訳後言語が複数設定された場合には、各言語毎にソートトレイに排出される。
【００８１】
なお、以上の実施形態では、翻訳装置が複写機に適用されて、翻訳後のデータが印字されて排出される場合を説明したが、この発明はこれに限定されることはなく、翻訳後のデータを他の外部装置例えばコンピュータ等に電子データの形で出力するものであっても良い。
【図面の簡単な説明】
【００８２】
【図１】この発明の一実施形態に係る自動翻訳装置の概要を示すブロック図である。
【図２】同じく自動翻訳装置におけるグループモード時の概念図である。
【図３】同じく自動翻訳装置におけるソートモード時の概念図である。
【図４】同じく自動翻訳装置におけるユニフィケーションモード時の基本動作概念図である。
【図５】同じく自動翻訳装置におけるユニフィケーションモード時の応用動作概念図である。
【図６】同じく自動翻訳装置が適用されたデジタル複写機を備えた画像形成システムを示す概略正面図である。
【図７】同じくデジタル複写機を示す概略断面図である。
【図８】画像形成システムにおけるステープルソータを示す概略正面図である。
【図９】デジタル複写機における操作パネルを示す平面図である。
【図１０】同じく操作パネルの表示部の基本画面の構成図である。
【図１１】同じく表示部の応用画面の構成図である。
【図１２】同じく応用画面から遷移した翻訳モードの基本画面の構成図である。
【図１３】同じく翻訳モード基本画面において、ノーマルモードを選択した際の遷移図である。
【図１４】同じく翻訳モード基本画面において、グループモードを選択した際の遷移図である。
【図１５】同じく翻訳モード基本画面において、ソートモードを選択した際の遷移図である。
【図１６】同じく翻訳モード基本画面において、ユニフィケーションモードを選択した際の遷移図である。
【図１７】自動翻訳装置の全体の動作を示すフローチャートである。
【図１８】自動翻訳装置の翻訳モードの処理についてのサブルーチンを示すフローチャートである。
【図１９】自動翻訳装置の読み込み・翻訳処理についてのサブルーチンを示すフローチャートである。
【図２０】自動翻訳装置のコピー・排出処理についてのサブルーチンを示すフローチャートである。
【符号の説明】
【００８３】
１        自動翻訳装置
１０４    操作表示部
２０１    翻訳手段
２０２    制御手段
ＧＭ      グループモードキー
ＳＭ      ソートモードキー
ＵＭ      ユニフィケーションモードキー
【図１】
2008021323.tif 000003
【図２】
2008021323.tif 000004
【図３】
2008021323.tif 000005
【図４】
2008021323.tif 000006
【図５】
2008021323.tif 000007
【図６】
2008021323.tif 000008
【図７】
2008021323.tif 000009
【図８】
2008021323.tif 000010
【図９】
2008021323.tif 000011
【図１２】
2008021323.tif 000012
【図１３】
2008021323.tif 000013
【図１４】
2008021323.tif 000014
【図１５】
2008021323.tif 000015
【図１６】
2008021323.tif 000016
【図１７】
2008021323.tif 000017
【図１８】
2008021323.tif 000018
【図１９】
2008021323.tif 000019
【図２０】
2008021323.tif 000020
【図１０】
2008021323.tif 000021
【図１１】
2008021323.tif 000022